(57)【要約】【課題】工場、倉庫内での荷物の移動作業、トラック、コンテナでの荷物の積み上げ、積み下ろし作業、運送の際に、載せた荷物の滑落を防止できるパレットを提供する。さらに、パレットの行き先の管理が可能で、紛失を防止できるパレットを提供する。【解決手段】パレット１は、荷物が表面側に積載される板状のデッキボード２と、フォークリフトのフォークを差込可能な所定間隔でデッキボード２の裏面に結合された複数の支柱５とを有し、デッキボード２および支柱５がいずれも樹脂または金属によって形成されているパレットであって、デッキボード２の少なくとも一部の表面には、滑り止め防止剤を塗装された滑り止め層３が形成されているものである。【選択図】図１
0003154138.tif 000002
【実用新案登録請求の範囲】
【請求項１】
荷物が表面側に積載される板状のデッキボードと、フォークリフトのフォークを差込可能な所定間隔で該デッキボードの裏面に結合された複数の支柱とを有し、該デッキボードおよび該支柱がいずれも樹脂または金属によって形成されているパレットであって、
前記デッキボードの少なくとも一部の表面には、滑り止め防止剤を塗装された滑り止め層が形成されていることを特徴とするパレット。
【請求項２】
前記支柱の視認可能な位置に、一次元コードまたは二次元コードが付されていることを特徴とする請求項１に記載のパレット。
【請求項３】
前記支柱にＩＣタグが埋め込まれ、または付されていることを特徴とする請求項１に記載のパレット。
【請求項４】
前記デッキボードの表面が凹凸形状に形成されていて、該凹凸形状の少なくとも凸形状部分に前記滑り止め層が形成されていることを特徴とする請求項１に記載のパレット。
【請求項５】
前記デッキボードの角部側面、および／または、前記デッキボードの角部に近接する支柱の角部側面の少なくとも一部には、前記滑り止め剤を塗装された前記滑り止め層が形成されていることを特徴とする請求項１に記載のパレット。
【請求項６】
２つの前記デッキボードを有し、対向し合う該両デッキボードの裏面どうしが前記支柱を介して結合されていることを特徴とする請求項１に記載のパレット。
【考案の詳細な説明】
【技術分野】
【０００１】
本考案は、荷物を積載する樹脂製または金属製のデッキボードに滑り止め層が形成されていて、荷物を載せても滑落しにくく、さらに、紛失を防止することができる荷物運送用のパレットに関するものである。
【背景技術】
【０００２】
工場、倉庫内での荷物の移動作業、およびトラック、コンテナでの荷物の積み上げ、積み下ろし作業には、フォークリフトのフォークを差し込んで持ち上げることができるパレットが用いられている。
【０００３】
パレットは木製のものが汎用されており、荷物を載せても滑落しにくいという利点がある。しかし、木製パレットの材料となる木材資源が近年枯渇しつつあること、また、木製パレットは湿気に弱く、多湿な環境では朽ちてしまうことから、特許文献１に開示されているようなプラスチックを原料とした樹脂製パレットも多用されてきている。樹脂製パレットは、多湿な環境でも朽ちることがなく、木製パレットに比べて長期間使用が可能なものである。また、樹脂製パレットは、強度、耐久性の面でも木製パレットに比べて遜色がない。しかし、一般的に樹脂製パレットは、木製パレットに比べ、表面が平滑で摩擦係数が小さいため、荷物を載せた場合、滑落し易い。
【０００４】
また、パレットの多くは、パレットに載せた荷物と同時に転々と移動してしまうため、紛失してしまう可能性がある。
【先行技術文献】
【特許文献】
【０００５】
【特許文献１】特開２００８−１４３５２７号公報
【考案の概要】
【考案が解決しようとする課題】
【０００６】
本考案は、前記の課題を解決するためになされたもので、工場、倉庫内での荷物の移動作業、トラック、コンテナでの荷物の積み上げ、積み下ろし作業、運送の際に、載せた荷物の滑落を防止できるパレットを提供することを目的とする。さらに、パレットの行き先の管理が可能で、紛失を防止できるパレットを提供することを目的とする。
【課題を解決するための手段】
【０００７】
前記の目的を達成するためになされた実用新案登録請求の範囲の請求項１に記載のパレットは、荷物が表面側に積載される板状のデッキボードと、フォークリフトのフォークを差込可能な所定間隔で該デッキボードの裏面に結合された複数の支柱とを有し、該デッキボードおよび該支柱がいずれも樹脂または金属によって形成されているパレットであって、
前記デッキボードの少なくとも一部の表面には、滑り止め防止剤を塗装された滑り止め層が形成されていることを特徴とする。
【０００８】
請求項２のパレットは、請求項１に記載されたもので、前記支柱の視認可能な位置に、一次元コードまたは二次元コードが付されていることを特徴とする。
【０００９】
請求項３のパレットは、請求項１に記載されたもので、記支柱にＩＣタグが埋め込まれ、または付されていることを特徴とする。
【００１０】
請求項４のパレットは、請求項１に記載されたもので、前記デッキボードの表面が凹凸形状に形成されていて、該凹凸形状の少なくとも凸形状部分に前記滑り止め層が形成されていることを特徴とする。
【００１１】
請求項５のパレットは、請求項１に記載されたもので、前記デッキボードの角部側面、および／または、前記デッキボードの角部に近接する支柱の角部側面の少なくとも一部には、前記滑り止め剤を塗装された前記滑り止め層が形成されていることを特徴とする。
【００１２】
請求項６のパレットは、請求項１に記載されたもので、２つの前記デッキボードを有し、対向し合う該両デッキボードの裏面どうしが前記支柱を介して結合されていることを特徴とする。
【考案の効果】
【００１３】
本考案のパレットは、デッキボードの表面に滑り止め剤の塗装された滑り止め層が形成されているものである。このパレットによれば、デッキボードの表面の摩擦係数が大きくなるので、樹脂製または金属製であっても積載した荷物の滑落を防止することができる。
【００１４】
このパレットは、支柱の視認可能な位置に、一次元コードまたは二次元コードが付されているものである。このパレットによれば、例えばパレット夫々に個別の識別番号を付与して二次元コードなどで表示しておくことで、荷物の出荷の際に、パレットの識別番号をコードリーダーで読み込んで、出荷先に対応させて記録することで、パレットの行き先の管理を行うことができるため、パレットの紛失を防止することができる。また、二次元コードなどに所有者または使用者の情報を記録しておくことで、パレットの返却先がわかるので、確実に返却されて、パレットの紛失を防止することができる。
【００１５】
このパレットは、支柱にＩＣタグが埋め込まれ、または付されているものである。このパレットによれば、例えば前記した二次元コードに記録した情報と同様のものをＩＣタグに記録しておくことで、このパレットの紛失を防止することができる。また、ＩＣタグが視認できない位置にあったとしても、記録された情報を読み取ることができる。
【００１６】
このパレットは、デッキボードの表面が凹凸形状に形成されていて、少なくとも凸形状部分に滑り止め層が形成されているものである。このパレットによれば、この凹凸形状による抵抗と滑り止め層による摩擦抵抗とが相俟って、パレットに載せた荷物の滑落を一層防止できるものである。
【００１７】
このパレットは、デッキボードの角部側面、および／または、支柱の角部側面の少なくとも一部に、滑り止め層が形成されている。このパレットによれば、積載した荷物をパレットと共に紐で固定する際に、パレットにかけた紐が滑りにくいため、確りと荷物を固定することができる。特に瓦や板材のように重ねて積載する荷物を固定する場合には、デッキボードの対角に紐を掛けて荷物を固定したり、幕で荷物を覆って対角に紐で縛って固定したりすることが多いため、このような崩れやすい荷物であったとしても確りと固定することができる。
【００１８】
このパレットは、対向し合う２つのデッキボードの裏面どうしが支柱を介して結合されているものである。このパレットによれば、パレットの両面のいずれが天方向に向いたとしても積載した荷物の滑落を防止することができる。
【図面の簡単な説明】
【００１９】
【図１】本考案を適用するパレットの斜視図である。
【図２】本考案を適用するパレットの一部拡大正面図である。
【図３】本考案を適用する別のパレットの角部の一部拡大斜視図である。
【考案を実施するための形態】
【００２０】
以下、本考案を実施するための形態を詳細に説明するが、本考案の範囲はこれらの形態に限定されるものではない。
【００２１】
本考案のパレットの好ましい一例について、図１，２を参照して説明する。
【００２２】
本考案のパレット１は、非図示の荷物が表面側に積載される略方形で板状のデッキボード２を両面に有している、いわゆる両面使用タイプのパレットである。また、このパレット１は、非図示のフォークリフトのフォークを４方向の側面のいずれからでも差し込み可能となるように所定間隔で複数の支柱５をデッキボード２の裏面に結合している、いわゆる四方差のパレットである。
【００２３】
具体的には、パレット１は、対向し合うデッキボード２，２の裏面どうしを、デッキボード２の角部の４か所、デッキボード２の各辺の中央部の４か所、および、デッキボード２の中央部の１か所の計９か所を、支柱５を介して結合されて形成されている。これにより、パレット１の側面には、デッキボード２と支柱５とによって区画されたフォーク差込口６が一側面につき２つずつ開口して形成されている。
【００２４】
このパレット１は、ポリプロピレンまたはポリエチレンなどの樹脂によってデッキボート２および支柱５が形成されている。パレット１は、一例として全体が縦１１００ｍｍ、横１１００ｍｍ、高さ１４４ｍｍの大きさで形成されている。
【００２５】
デッキボード２の表面は、一例として平坦に形成されている。この表面には、全面にわたって滑り止め剤を塗装した滑り止め層３が形成されている。なお、図１，２では、本考案の理解が容易なように、滑り止め層３の層厚さを実際のものよりも厚く模式的に表している。図２の一部拡大正面図に示すように、滑り止め層３は、デッキボード２の表面にほぼ均一な層厚さで形成されている。
【００２６】
この滑り止め剤には、ホゴコンエースＭＳ−Ｆ（株式会社セブンケミカルの製品名）を好適に用いることができる。ホゴコンエースＭＳ−Ｆは、アクリルシリコン樹脂を含有する表面保護仕上剤であり、樹脂や金属などに塗装することで、塗装した表面の摩擦係数を大きくして滑り止め性を向上させるとともに、表面を保護して耐久性も向上させるものである。ホゴコンエースＭＳ−Ｆを塗装して形成された滑り止め層３は、耐水性、耐塩水性、耐温水浸水性、耐アルカリ性、耐酸性、耐候性に優れているものであると共に、接着性、温冷繰り返し抵抗性にも優れており、さらに撥水性も有していて、長期間にわたって表面の滑り止め層として機能するものである。さらにホゴコンエースＭＳ−Ｆによる滑り止め層３は、透明性を有すると共に濡れ色や艶が生じないので、塗装した表面の質感を損なわないものである。
【００２７】
また、図１，２に示すように、デッキボード２の一辺の中央部の支柱５の外界から視認可能な位置に、ＱＲコード（登録商標）が薄い紙製シートに印刷されたＱＲコードシート４が貼付または螺子止めされて付されている。ＱＲコードを支柱５に直接印刷して付すこともできる。このＱＲコードシート４を付す位置は、外部から視認可能な位置であれば、いずれの支柱５に付してもよい。
【００２８】
このＱＲコードは、本考案の二次元コードの一例である。二次元コードは、文字や数字の情報を白黒の格子状パターンなどで表したものであり、ＱＲコードの他に、ベリコード、マキシコードなど種々の規格に基づくものがあり、本考案では、何れのコードであっても用いることができる。また、二次元コードに換えてバーコードのような一次元コードを用いることもできる。
【００２９】
シート４のＱＲコードには、パレット１ごとに付与された個別の識別番号を情報として表示させておく。さらに、ＱＲコードに、パレット１の所有者名や使用者名、パレット返却先の住所などの情報を表示させておいてもよい。
【００３０】
本考案のパレット１は、以下のようにして製造される。
【００３１】
このパレット１の原料となる樹脂を融点まで加熱して液状にする。液状になった樹脂を高圧で金型内に射出し、圧力を保ったまま冷却固化させる。デッキボード２の表面を後述するように凹凸形状に形成する場合には、対応する部分の金型は凹凸形状にしておく。デッキボード２，２および支柱５を一体成型して形成してもよく、デッキボード２と支柱５とを別体で形成して、螺子止めや接着で一体化してもよい。
【００３２】
デッキボード２，２に、前述した滑り止め剤を塗装して、滑り止め層３を形成する。
【００３３】
具体的には、前述したホゴコンエースＭＳ−Ｆを用いて滑り止め層３を形成する場合、以下のように塗装する。ホゴコンエースＭＳ−Ｆには、基剤、硬化剤、専用骨材が付属している。また、ホゴコンエースＭＳ−Ｆ用の専用シンナーがあるので必要に応じてこれを準備する。
【００３４】
まず、ホゴコンエースＭＳ−Ｆの基剤と硬化剤とを１３：１の割合で混合し、さらに専用骨材を加え均一に混練する。混練した滑り止め剤を必要に応じて０〜２０重量％の専用のシンナーで希釈する。予め、滑り止め層３を形成させたい部分を洗浄して乾燥させたパレット１に、希釈した滑り止め剤をローラー、または刷毛を用いて均一に２回塗装する。一例として塗装量は、一回につき０．１５〜０．２５ｋｇ／ｍ２で塗装する。１回目と２回目の塗装は、２時間以上間隔をあけ、当日中に２回目の塗装をする。塗装したパレット１を、２４時間水が掛らないように養生させると、シンナーが揮発して基剤が硬化してパレット１の滑り止め層３が得られる。
【００３５】
支柱５にＱＲコードシート４を付して、パレット１が完成する。
【００３６】
本考案のパレット１は、以下のようにして使用される。
【００３７】
このパレット１の天方向を向いたデッキボード２の表面側に、移動させたい荷物を積載する。そのパレット１のフォーク差込口６に、非図示のフォークリフトのフォークを差し込んで、フォークを上昇させることで、パレット１が持ち上げられて所望する場所まで移動される。この際に、パレット１は多少傾いて、さらに揺れたり振動したりするが、滑り止め層３と荷物との間の高い摩擦抵抗により、荷物はデッキボード２上を滑らないため、荷物が滑落しない。
【００３８】
また、地方向を向いたデッキボード２の滑り止め層３は、フォークリフトによる移動の際に地面と擦れるが、ホゴコンエースＭＳ−Ｆによる滑り止め層３は高い耐久性を有しているため、剥がれたり削れたりして破損しない。同様に、天方向の滑り止め層３も荷物との擦れなどによって破損しない。
【００３９】
このパレット１はまた、以下のようにして使用される。
【００４０】
パレット１に積載した荷物の出荷の際、管理作業者は、ＱＲコードリーダーを用いて、パレット１に付されたＱＲコードを読み取り、パレット１の識別番号を、荷物の出荷先や、出荷日と共に記録する。荷物を出荷後、戻ってきたパレット１のＱＲコードを再び読み取って識別番号を記録と照合することで、出荷に用いたパレット１が返却されたことを確認できる。これらの記録や照合はコンピュータを用いて行うことができる。出荷に用いたパレット１が返却されない場合には、記録しておいた出荷先からパレット１を回収することができる。
【００４１】
また、ＱＲコードにパレット１の所有者名や返却先住所の情報が記録されていると、パレット１の返却先がわかるので、パレット１を所有者等に確実に返却することができる。
【００４２】
次に、本考案の別の実施例について図３を参照して説明する。なお、すでに説明した構成には同じ符号を付して詳細な説明を省略する。
【００４３】
同図に示すパレット１ａは、いわゆる片面使用タイプのパレットであり、デッキボード２ａの表面が凹凸形状に形成されていて、この凹凸形状の少なくとも凸形状部分に滑り止め層３が形成されているものである。このデッキボード２ａは、デッキボード２と同様の素材、大きさで形成されているが、表面に並列の溝形状が縦横に形成された凹部８ａと、この凹部８ａによって囲まれて正方形状に突出した凸部８ｂとが形成されている。この凸部８ｂの表面（図の上部側面）には、滑り止め層３が形成されている。
【００４４】
このパレット１ａは、デッキボード２ａの裏面に、フォークリフトのフォークを差込可能な所定間隔でデッキボード複数の支柱５が結合され、この支柱５に、補強用の接地ボード７が結合されている。
【００４５】
デッキボード２ａは、滑り止め層３と荷物との摩擦により荷物は滑りにくいが、さらにこのように表面を凹凸形状にすることで、積載した荷物が凸部８ｂの角に引っかかって一層滑りにくくなる。また、雨などで濡れたとしても、凹部８ａに排水されるため、荷物が滑りにくい。なお、凸部を、なだらかなに盛り上がった山形状に形成することもできる。山形状の場合には、少なくともその頂部周辺に滑り止め層３を形成する。
【００４６】
また、このパレット１ａには、同図に示すように、デッキボード２の角部側面、および、デッキボードの角部に近接する支柱の角部側面の一部に、前述した滑り止め剤を塗装された滑り止め層９が形成されている。パレット１の角部に滑り止め層９を形成することで、角部に掛けた荷物固定用の紐が滑りにくくなる。滑り止め層９は、パレット１の角部の紐がかかる位置に少なくとも形成されていれば良く、つまり、デッキボード２ａの角部側面またはこれに近接する支柱５の角部側面の少なくとも一部に形成されていればよい。
【００４７】
なお、図１，２のパレット１ではデッキボード２の表面全面に滑り止め層３を形成した例について説明したが、滑り止め層３は、デッキボード２の表面の一部にだけ形成することもできる。例えば、荷物の大きさや積載する位置が決まっている場合には、荷物に接する部分にのみ滑り止め層３を形成してもよい。具体的には、デッキボード２の特定の１６か所に瓦を積み上げて積載する専用のパレット１の場合には、その１６か所の部分に滑り止め層３を形成する。
【００４８】
また、デッキボード２が、全面にわたって網目状に形成されていたり、平坦な板状の一部に穴あけされていたりするものであってもよい。このような場合であっても、デッキボード２の表面の荷物と接する位置に滑り止め層３を形成することで、本考案のパレットとすることができる。また、パレット１のように両面使用タイプのものであったとしても、片面側のデッキボード２だけに滑り止め層３を形成することもできる。
【００４９】
また、パレット１にＱＲコードを付した例について説明したが、このＱＲコードに換えて、またはＱＲコードと共に、ＩＣタグを支柱５に埋め込んで、または付してもよい。付す場合には、ＩＣタグを貼付、または、螺子止めして支柱４に固定することができる。ＩＣタグは、ＩＣタグリーダー／ライターと非接触で通信して、ＩＣタグに記録された情報を読み取り、書き込みをすることが可能なものである。ＩＣタグは、電池を内蔵せずＩＣタグリーダー／ライターからの送信波エネルギーを用いて作動するパッシブタイプでもよく、電池を内蔵しているアクティブタイプでもよい。ＩＣタグに、ＱＲコードで記録した情報と同様の情報を記録しておくことで、パレットの行き先やパレットの所有者等を確認することができ、パレットの紛失を防止することができる。
【００５０】
また、このパレット１，１ａの材質は樹脂製の他に、鉄、アルミニウムのような金属製であってもよい。
【００５１】
さらに、このパレット１，１ａは四方差の他に、フォーク差込口６が対向する一対の側面にのみ形成されたいわゆる二方差であってもよい。また、パレット１ａを補助板７のない単面構成のパレットとしてもよい。また、デッキボード２，２ａの裏面に結合した支柱５の位置は、任意の位置に形成することができる。例えば、デッキボード２，２ａの角部よりも内側に配置してもよい。
【００５２】
また、滑り止め防止剤は、ホゴコンエースＭＳ−Ｆ以外にも、塗装することで摩擦係数を樹脂や金属よりも大きなものにできるものであれば、本考案に用いることができる。
【産業上の利用可能性】
【００５３】
本考案のパレットは、工場、倉庫内での荷物の移動作業、トラック、コンテナでの積み上げ、積み下ろし作業、および運送に用いられる。また、このパレットは、パレットの管理作業者がパレット行先を把握し、回収するのに用いられる。
【符号の説明】
【００５４】
１，１ａはパレット、２，２ａはデッキボード、３，９は滑り止め層、４はＱＲコードシート、５は支柱、６はフォーク差込口、７は補助板、８ａは凹部、８ｂは凸部である。
【図１】
0003154138.tif 000003
【図２】
0003154138.tif 000004
【図３】
0003154138.tif 000005